(57)【要約】  本発明は熱核融合の分野に関し、核融合炉チャンバの内側に位置する構成要素を炉の真空容器に電気的に接続するための装置において使用されうる。核融合炉チャンバの内側に位置する構成要素を炉の真空容器に電気的に接続するための装置は、導電プレートの２つの同一のスタックを備える。導電プレートは、少なくとも１つの全周期を有する対称波の形状である。スタック内のプレートは互いに入れ子になっており、チャンバの内側に位置する構成要素および真空容器への取り付けのためのフランジに接続されている。導電プレートのスタックは、フランジの対称中心を通る線の周りに鏡面対称に設置されている。本発明の技術的結果は、装置の全ての導電プレートに対して、実質的に同一の表皮効果を保証することである。さらに、このことの技術的効果は、最外のプレートと中央のプレートとの間の引力（一方向電流を伝える導体間の引力）を低減させ、各導電プレートにおいて均一な電流密度分布を提供することである。【選択図】図１
2019533147.tif 000002
【特許請求の範囲】
【請求項１】
核融合炉チャンバの内側に位置する構成要素を炉の真空容器に電気的に接続するための装置であって、前記装置は、互いに入れ子になっており、前記核融合炉チャンバの内側に位置する前記構成要素への取り付けのための、及び前記真空容器への取り付けのためのフランジに接合された、少なくとも１つの一周期を有する対称波の形状の複数の導電プレートを備えており、前記装置には、複数の導電プレートの同一の第２のスタックが設けられており、前記複数のスタックは、前記フランジの対称中心を通る線の周りに鏡面対称に設置されることを特徴とする、装置。
【請求項２】
スタックされた前記複数のプレートは、導電プレート波の母線が前記フランジ接触面と平行な平面内にあるように配置されていることを特徴とする、請求項１に記載の装置。
【発明の詳細な説明】
【技術分野】
【０００１】
本発明は熱核融合に関し、核融合炉チャンバの内側に位置する構成要素を炉の真空容器に電気的に接続するための装置において使用されうる。
【背景技術】
【０００２】
核融合炉チャンバの内側に位置する構成要素を炉の真空容器に電気的に接続するための装置が知られており、この装置は、１つのスタックに入れ子になっており、チャンバの内側に位置する構成要素および真空容器への取り付けのためのフランジ間に設けられた異なる方向を向いた表面領域を有する導電プレートを備える（国際原子力機関（ＩＡＥＡ）、ウィーン、２００２年、ITER TECHNICAL BASIS, ITER EDA Documentation series No.24, Plant Description Document, Chapter 2.3, Page 10 - 2.3.4.3 Electrical Connection, Figure 2.3.4-4 One Strap of the Electrical Connection）。
【０００３】
この既知の装置では、異なる方向を向いた表面領域を有するプレートの表面はＬ字形であり、穿孔されている。このプレートは、単一のＵ字型のスタックを形成するために互いに入れ子になっている。この既知の装置では、プレート内の穿孔および屈曲に起因して、導電プレートのスタックは、側部の平面に垂直な方向において十分な加工しやすさを提供しない。さらに、主（トロイダル）磁場成分へと電流を垂直に導く鉛直部分を導電プレートが有する限り、このことは、より高い電磁力が装置に作用する結果になりうる。
【０００４】
既知の装置の欠点は、プラズマ崩壊の際、電流がそれを通って流れるとき、制限された電流負荷容量(current loading capacity)を有することである。磁場へと垂直に流れる電流（トカマク型の磁場トロイダル成分の最大値は約９Ｔに及びうる）は、数十キロニュートンに及びうる大きな力を装置に加える。磁場に対して垂直である導体には、最大の力が作用する。したがって、既知の装置の電流負荷容量は、導電プレート要素のスタックの加工しやすさおよび核融合炉の磁場トロイダル成分によって、ならびに磁場に対して垂直な装置の導電性領域の存在によって制限される。
【０００５】
本発明に最も近い一連の特徴を有するのは、核融合炉チャンバの内側に位置する構成要素を炉の真空容器に電気的に接続するための装置であり、この装置は、互いに入れ子になっており、チャンバの内側に位置する構成要素および真空容器への取り付けのためのフランジに接続された、少なくとも１つの全周期(full period)を有する対称波の形状の導電プレートを備える（ロシア連邦特許２５７９４４４、ＩＰＣ  Ｇ２１Ｂ１／１７、２０１６年１０月４日公開）。
【０００６】
この既知の装置の欠点は、非永続（交流またはパルス）電流がそれを通って流れる間の低減された電流負荷容量である。このことは、スタックの中心の導電プレートが、スタックの外側のプレートよりも著しく少ない非永続電流を伝えることによって説明することができ、これは表面効果または表皮効果によってもたらされる。既知の装置のさらなる欠点は、プレートとフランジとの間の連結（移行）地点、すなわち電流の供給および排流場所に最も近接した地点で起こる、導電プレートの電流密度の局所増加に伴う低減された電流負荷容量である。このことは、プレートの対称波の母線(generatrix)がフランジ接触面に対して垂直な平面上にあるように、スタック内のプレートが配置されることによって説明することができる。
【発明の概要】
【０００７】
本発明の目的は、核融合炉チャンバの内側に位置する構成要素を炉の真空容器に電気的に接続するための装置において、非永続（交流またはパルス）電流が導電プレートを通って流れるとき、該装置の電流負荷容量を増大させることである。
【０００８】
本発明の技術的結果は、装置の全ての導電プレートに対して、実質的に同一の表皮効果を保証することである。さらに、このことの技術的効果は、最外のプレートと中央のプレートとの間の引力（一方向電流を通す導体間の引力）を低減させ、各導電プレートにおいて均一な電流密度分布を提供することである。
【０００９】
該技術的効果は、核融合炉チャンバの内側に位置する構成要素を炉の真空容器に電気的に接続するための装置であって、互いに入れ子になっており、チャンバの内側に位置する構成要素および真空容器への取り付けのためのフランジに接続された、少なくとも１つの全周期を有する対称波の形状の導電プレートを備えている、本発明にしたがった既知の装置に、導電プレートの第２の同一のスタックが設けられており、該スタックが、フランジの対称中心を通る線の周りに鏡面対称に設置されることによって達成される。
【００１０】
さらに、スタックされた複数のプレートは、導電プレート波の母線がフランジ接触面と平行な平面上にあるように配置される。
【００１１】
一般に、スタック内のプレートの数は、装置内のそれよりも２倍未満なので、装置内の２つのスタックは、最外の導電プレートと中央の導電プレートとの間の引力（一方向電流を有する導体の引力）を低減させる。鏡面対称に設置された２つのプレートスタックおよび、フランジ接触面に平行な平面上の母線に沿って設置された複数のプレートは、表皮効果に伴うプレート間の不均等な電流分布を最小限に抑えることを可能にする。さらに、本発明にしたがった装置では、Ｚ字型の接続方式を実現することが可能であり、よって、プレート間での可能な限りの均等な電流分配を保証する。該技術的効果は、従来技術と同じ負荷容量を維持しながら、装置の負荷容量を増大させる、または装置の寸法を縮小させることができる。
【図面の簡単な説明】
【００１２】
本発明の主題は、図面によって説明される。
【図１】図１は、核融合炉チャンバの内側に位置する構成要素を、炉の真空容器に電気的に接続するための装置（側面図）である。
【図２】図２は、図１にしたがった装置（平面図）である。
【図３】図３は、装置の等角図である。
【図４】図４は、装置を通るＺ字型の電流の流れの図である。
【発明を実施するための形態】
【００１３】
核融合炉チャンバの内側に位置する構成要素を炉の真空容器に電気的に接続するための装置は、導電プレート１の同一の２つのスタックと、真空容器４およびチャンバの内側に位置する構成要素５へのそれぞれの取り付けのためのフランジ２、３を備える。該導電プレートのスタックは、フランジ２、３の対称中心を通る線の周りに鏡面対称に設置される。複数の導電プレート１は、少なくとも１つの一周期を有する対称波の形状である。設計ニーズに基づき、複数の導電プレート１の表面は、２以上の一周期を有する対称波の形状にされうる。各スタックにおいて、複数の導電プレート１は、舌部および対応する溝部によって互いに入れ子になっており、たとえば機械的接合、ろう付け接合、または溶接接合によって、チャンバの内側に位置する構成要素４への取り付けのためのフランジ２、３に接合されているか、またはフランジと一体化（ひとつなぎに）されている。スタックされた複数のプレート１は、導電プレート１の波形の母線がフランジ２、３の接触面と平行な平面上を通るように配置されている。フランジ２、３には、真空容器４および炉のチャンバ（ブランケット・モジュール）の内側に位置する構成要素５への取り付けのための設置穴が設けられている。
【産業上の利用可能性】
【００１４】
装置は以下のように機能する。
【００１５】
プラズマが崩壊すると、劇的な表皮効果をもたらす周波数において一定条件下で変化する大きな過渡電流が、チャンバの内側に位置する構成要素５から核融合炉の真空容器４へと排流される必要がある。電流は、チャンバ内に位置する構成要素５から、フランジ２を通って装置内へと流れる。フランジ２から、電流は複数の導電プレート１の２つのスタックを介してフランジ３に向かって装置の内側を流れる。装置から、そしてフランジ３を介して、電流は核融合炉の真空容器４内へと流れる。電流が複数の導電プレート１を介して流れるとき、装置のすべての導電プレート１について、複数の導電プレート１の２つのスタックおよび母線がフランジ２、３の接触面に平行であるために、表皮効果が実質的に均一になりうる。さらに、一方向の電流に伴う最外の導電プレート１と中央の導電プレートとの間の引力は、１つのスタック内よりもむしろ２つのスタック内に集められた導電プレート１の場合の方が小さく、導電プレート１あたりの電流密度分布が均一になる。
【図１】
2019533147.tif 000003
【図２】
2019533147.tif 000004
【図３】
2019533147.tif 000005
【図４】
2019533147.tif 000006
【国際調査報告】
2019533147.tif 000007
2019533147.tif 000008